【手続補正書】
【提出日】令和1年10月18日(2019.10.18)
【手続補正１】
【補正対象書類名】明細書
【補正対象項目名】０１００
【補正方法】変更
【補正の内容】
【０１００】
実施形態を説明した。しかし、言うまでもなく様々な修正を行うことができる。例えば、別の実施形態の要素を組み合わせ、補充し、修正し、または削除して、他の実施形態を形成してもよい。また、当業者には言うまでもないが、開示した構成やプロセスを他の構成やプロセスで置き換えてもよく、その結果の実施形態が少なくとも実質的に同じ機能を果たし、少なくとも実質的に同じように、開示した実施形態と実質的に同じ結果を達成する。したがって、本願ではこれらの実施形態及びその他の実施形態を想定している。
上述の実施形態の一部又は全部は、以下の付記のように記載され得るが、以下には限定されない。
（付記１）
複数のブロックに分割された４次元ライトフィールド画像を符号化する方法であって、
４次元ライトフィールド画像中の参照ブロック用いる空間予測をせずに、４次元ライトフィールド画像の他のブロックと比較して４次元ライトフィールド画像の幾何学的に中心領域の、中央ブロックと呼ばれるブロックを符号化することと、
中央ブロック自体、または中央ブロックを参照ブロックとして符号化された４次元ライトフィールド画像のブロックのいずれかである、４次元ライトフィールド画像の１つまたは複数の参照ブロックを用いて、空間的単一方向予測と空間的双方向予測を空間的インターリーブすることにより、中央ブロックを囲む周囲ブロックを予測符号化することとを含む、方法。
（付記２）
４次元ライトフィールド画像に奇数個のブロックが含まれる場合、空間的単一方向予測と空間的双方向予測とを空間的にインターリーブすることにより周囲ブロックを予測符号化することは、空間的単一方向予測により、中央ブロックを垂直に又は水平に隣接する周囲ブロックを符号化することと、空間的双方向予測により、その他の周囲ブロックを符号化することとを含む、付記１に記載の方法。
（付記３）
４次元ライトフィールド画像に偶数個のブロックが含まれる場合、空間的単一方向予測と空間的双方向予測とを空間的にインターリーブすることにより周囲ブロックを予測符号化することは、
中央ブロックと垂直に隣接する周囲ブロックと、中央ブロックと水平に隣接する周囲ブロックとを、単一方向予測により符号化することと、
双方向予測によって前に符号化された２つの周囲ブロックに隣接する周囲ブロックを符号化することと、
単一方向予測により、前に符号化されたブロックの垂直または水平に隣接する周囲ブロックを符号化することと、
双方向予測により残りの周囲ブロックを符号化することとを含む、付記１に記載の方法。
（付記４）
さらに、空間的単一方向予測と空間的双方向予測とを空間的にインターリーブすることにより、４次元ライトフィールド画像の境界まで、４次元ライトフィールド画像の幾何学的中心の周りのブロックを処理することにより、残りのブロックを予測符号化することを含む、付記１ないし３いずれか一項に記載の方法。
（付記５）
すべてのブロックはマイクロ画像タイプまたはビュータイプのいずれかである、付記１ないし４いずれか一項に記載の方法。
（付記６）
中央ブロックはイントラ符号化される、付記１ないし５いずれか一項に記載の方法。
（付記７）
中央ブロックは、再構成された４次元ライトフィールド画像の空間的に同一位置のブロックから時間的に予測される、付記１ないし５いずれか一項に記載の方法。
（付記８）
ブロックはビュー画像であり、参照ブロックによるブロックの予測中、参照ブロックはケラレ情報により求められる加重により加重される、付記１ないし７いずれか一項に記載の方法。
（付記９）
複数のブロックに分割された４次元ライトフィールド画像を復号する方法であって、
４次元ライトフィールド画像中の参照ブロック用いる空間予測をせずに、４次元ライトフィールド画像の他のブロックと比較して４次元ライトフィールド画像の幾何学的に中心領域の、中央ブロックと呼ばれるブロックを復号することと、
中央ブロック自体、または中央ブロックを参照ブロックとして符号化された４次元ライトフィールド画像のブロックのいずれかである、４次元ライトフィールド画像の１つまたは複数の参照ブロックを用いて、空間的単一方向予測と空間的双方向予測を空間的インターリーブすることにより、中央ブロックを囲む周囲ブロックを予測復号することとを含む、  方法。
（付記１０）
４次元ライトフィールド画像に奇数個のブロックが含まれる場合、空間的単一方向予測と空間的双方向予測とを空間的にインターリーブすることにより周囲ブロックを予測復号することは、空間的単一方向予測により、中央ブロックを垂直に又は水平に隣接する周囲ブロックを復号することと、空間的双方向予測により、その他の周囲ブロックを復号することとを含む、付記９に記載の方法。
（付記１１）
４次元ライトフィールド画像に偶数個のブロックが含まれる場合、空間的単一方向予測と空間的双方向予測とを空間的にインターリーブすることにより周囲ブロックを予測復号することは、
中央ブロックと垂直に隣接する周囲ブロックと、中央ブロックと水平に隣接する周囲ブロックとを、単一方向予測により復号することと、
双方向予測によって前に復号された２つの周囲ブロックに隣接する周囲ブロックを復号することと、
単一方向予測により、前に復号されたブロックの垂直または水平に隣接する周囲ブロックを復号することと、
双方向予測により残りの周囲ブロックを復号することとを含む、付記９に記載の方法。
（付記１２）
さらに、空間的単一方向予測と空間的双方向予測とをインターリーブすることにより、４次元ライトフィールド画像の境界まで、４次元ライトフィールド画像の幾何学的中心の周りのブロックを処理することにより、残りのブロックを予測復号することを含む、付記９ないし１１いずれか一項に記載の方法。
（付記１３）
すべてのブロックはマイクロ画像タイプまたはビュータイプのいずれかである、付記９ないし１２いずれか一項に記載の方法。
（付記１４）
中央ブロックはイントラ符号化される、付記９ないし１３いずれか一項に記載の方法。
（付記１５）
中央ブロックは、再構成された４次元ライトフィールド画像の空間的に同一位置のブロックから時間的に予測される、付記９ないし１３いずれか一項に記載の方法。
（付記１６）
ブロックはビュー画像であり、参照ブロックによるブロックの予測中、参照ブロックはケラレ情報により求められる加重により加重される、付記９ないし１５いずれか一項に記載の方法。
（付記１７）
複数のブロックに分割された４次元ライトフィールド画像を符号化する装置であって、
４次元ライトフィールド画像中の参照ブロック用いる空間予測をせずに、４次元ライトフィールド画像の他のブロックと比較して４次元ライトフィールド画像の幾何学的に中心領域の、中央ブロックと呼ばれるブロックを符号化する手段と、
中央ブロック自体、または中央ブロックを参照ブロックとして符号化された４次元ライトフィールド画像のブロックのいずれかである、４次元ライトフィールド画像の１つまたは複数の参照ブロックを用いて、空間的単一方向予測と空間的双方向予測を空間的インターリーブすることにより、中央ブロックを囲む周囲ブロックを予測符号化する手段とを含む、装置。
（付記１８）
複数のブロックに分割された４次元ライトフィールド画像を復号する装置であって、
４次元ライトフィールド画像中の参照ブロック用いる空間予測をせずに、４次元ライトフィールド画像の他のブロックと比較して４次元ライトフィールド画像の幾何学的に中心領域の、中央ブロックと呼ばれるブロックを復号する手段と、
中央ブロック自体、または中央ブロックを参照ブロックとして符号化された４次元ライトフィールド画像のブロックのいずれかである、４次元ライトフィールド画像の１つまたは複数の参照ブロックを用いて、空間的単一方向予測と空間的双方向予測を空間的インターリーブすることにより、中央ブロックを囲む周囲ブロックを予測復号する手段とを含む、装置。